(57)【要約】【課題】ブロワケースのヒートシンクが設けられた凹部に水が溜まるのを防止できる送風機を提供する。【解決手段】この送風機１１は、モータの出力軸に装着されたファン１５と、このファン１５を覆うブロワケース３０とを備え、このブロワケース３０の底壁部３３のうちファン１５の外径より外側の部分は、ファン１５の外径より内側の部分よりファン１５に対して軸方向に拡大して拡大部５１を形成し、底壁部３３のうちファン１５の外径より内側の部分には、周方向に凹部４５が形成され、この凹部４５にはヒートシンク４７が露出して設けられている送風機において、凹部４５から拡大部５１へ到る第１の排水溝５３、第２の排水溝５５を形成している。【選択図】図１
2008297917.tif 000002
【特許請求の範囲】
【請求項１】
モータ（１３）と、このモータの出力軸に装着された筒状のファン（１５）と、このファン（１５）の外周側と底部側を覆うブロワケース（３０）とを備え、このブロワケース（３０）の底壁（３３）のうち前記ファン（１５）の外径より外側の部分は、前記ファン（１５）の外径より内側の部分より前記ファン（１５）に対して軸方向に拡大する拡大部（５１）を形成し、底壁（３３）のうち前記ファン（１５）の外径より内側の部分には、周方向に凹部（４５，７３）が形成され、この凹部（４５，７３）の底面にはヒートシンク（４７，７５）が露出して設けられている送風機において、
前記凹部（４５，７３）から前記拡大部（５１）へ到る排水溝（５３，５５，７７，７９，８１）を形成したことを特徴とする送風機。
【請求項２】
前記凹部（４５，７３）及びこの凹部（４５，７３）内のヒートシンク（４７，７５）は、円弧状又は円環状に形成されていることを特徴とする請求項１に記載の送風機。
【請求項３】
前記モータ（１３）はその軸線が上下方向又は水平方向になるように配設されていることを特徴とする請求項１に記載の送風機。
【請求項４】
前記ブロワケース（３０）は、一体又は、モータフランジ（６３）とスクロールケーシング（６５）とから構成されていることを特徴とする請求項１に記載の送風機。
【発明の詳細な説明】
【技術分野】
【０００１】
本発明は、モータとファンが一体に設けられブロワケースの底部にヒートシンクが露出して設けられた送風機に関する。
【背景技術】
【０００２】
従来、この種の送風機としては、図７に示すようなものが知られている。この送風機１は、モータ２の出力軸にシロッコ型のファン３が装着され、上方から空気を吸入して外周側に吐出するようになっている。このファン３の外周には、このファン３から吐出された空気を吹出し口に導くブロワケース４が設けられており、ファンの外周側に形成された外周壁４ａとファンの下方に形成された底壁４ｂとを有している。
【０００３】
また、このブロワケース４の下側に配設されたプリント基板５には、回路素子６が実装されており、この回路素子６にはヒートシンク７が固定されている。そして、このヒートシンク７のフィン７ａはブロワケース４内に露出して装着されている。
【０００４】
このような送風機１において、吐出容量の大きいものは、素子の発熱量も増加し、ヒートシンクのフィンを大きくする必要がある。このため、ブロワケース４の底壁を凹状に陥没させ、この凹部に大きなフィンを有するヒートシンクを装着するようにしている。
【０００５】
しかしながら、このような送風機にあっては、ブロワケース４の吸入口４ｂから侵入した雨、雪等の水がブロワケース４の凹部に溜まってしまう。このため、この水がヒートシンクの隙間から内部に入ってしまい、基板等がショートしてしまうおそれがあった。また、水が溜まるため、カビ、臭気等が発生するおそれもあった。
【０００６】
なお、送風機としては特許文献１に示すようなものが知られている。
【０００７】
【特許文献１】特開２００２−３３５６４７号公報
【発明の開示】
【発明が解決しようとする課題】
【０００８】
本発明は、上記問題点を解決することをその課題とし、ブロワケースのヒートシンクが設けられた凹部に水が溜まるのを防止することができる送風機を提供する。
【課題を解決するための手段】
【０００９】
上記課題を解決するため、モータ（１３）と、このモータの出力軸に装着された筒状のファン（１５）と、このファン（１５）の外周側と底部側を覆うブロワケース（３０）とを備え、このブロワケース（３０）の底壁（３３）のうちファン（１５）の外径より外側の部分は、ファン（１５）の外径より内側の部分よりファンに対して軸方向に拡大する拡大部（５１）を形成し、底壁（３３）のうちファン（１５）の外径より内側の部分には、周方向に凹部（４５，７３）が形成され、この凹部（４５，７３）の底面にはヒートシンク（４７，７５）が露出して設けられている送風機において、凹部（４５，７３）から拡大部（５１）へ到る排水溝（５３，５５，７７，７９，８１）を形成した手段を採用することができる。
【００１０】
この手段によれば、凹部（４５，７３）から排水溝（５３，５５，７７，７９，８１）を通して拡大部（５１）にすみやかに水を排出することができる。したがって、水がヒートシンクの隙間から入ってしまい基板等がショートしてしまうことを防止することができるとともに、カビ、臭気等の発生を防ぐことができる。
【００１１】
上記課題を解決するため、凹部（４５，７３）及びこの凹部（４５，７３）内のヒートシンク（４７，７５）は、円弧状又は円環状に形成されている手段を採用することができる。したがって、吐出容量に応じてヒートシンク（４７，７５）の大きさを変えることができ、多様な需要に対応することができる。
【００１２】
上記課題を解決するため、モータ（１３）はその軸線が上下方向又は水平方向になるように配設されている手段を採用することができる。したがって、装置の適用範囲を広げることができる。
【００１３】
上記課題を解決するため、ブロワケース（３０）は一体とすることもでき、又はモータフランジ（６３）とスクロールケーシング（６５）とから構成されている手段とすることができる。したがって、設計の自由度を向上させることができる。
【００１４】
なお、上記各手段に付した括弧内の符号は、後述する実施形態に記載の具体的手段との対応関係を示す一例である。
【発明を実施するための最良の形態】
【００１５】
以下、本発明の実施の形態について、図１ないし図６を参照して説明する。
【００１６】
図１及び図２中、符号１１は送風機を示す。この送風機１１は、回転軸方向から吸入した空気を半径方向外方に向けて吹出す遠心式の送風機であって、駆動源としてモータ１３を有している。このモータ１３の出力軸１３ａには、遠心式の多翼ファンであるファン１５が設けられている。このファン１５は、略ドーム状に上方に膨出するとともに中央部に出力軸１３ａが固定されたボス部１７を有している。ボス部１７の外周には、周方向に等間隔に多数のブレード１９が軸に平行に配設されている。これらブレード１９は、半径方向外方に向かうにしたがい周方向に湾曲して形成されており、その上端を環状のシュラウド２１によって連結されている。そして、この環状のシュラウド２１の内側はファンの吸入口２３とされるとともに、多数のブレード１９の外周端の間がファンの吐出口２５となっている。
【００１７】
ファン１５の外周には、断面略コ字状に形成された樹脂製のスクロールケーシング２７が設けられている。このスクロールケーシング２７は、シュラウド２１の上端縁から僅かに離間した位置から径方向外方に環状に延出して形成された上壁部２９と、この上壁部２９の外周縁から下方に延出してファン１５の径方向外方を覆う側壁部３１と、この側壁部３１の下端縁からファン１５の下縁に平行かつ近接してブレード１９の内周側まで径方向内方に延出して形成された底壁部３３と、この底壁部３３が接続されるモータ収納部３４とを有している。そして、環状の上壁部２９の内側は吸入口３５とされている。また、底壁部３３は、ファン１５の外周側下端縁より内側の内周側底壁部４３とファン１５の外周側下端縁より外側の外周側底壁部４９とから構成されている。そして、外周側底壁部４９は、側壁部３１、上壁部２９とともに、後述する渦巻通路３９を形成する。また、スクロールケーシング２７のうち、上壁部２９と側壁部３１と底壁部３３は、ブロワケース３０を構成する。
【００１８】
このスクロールケーシング２７は、図１に示すように、平面視渦巻状をしており、その側壁部３１は、スクロールノーズ部３７の位置が最もファン１５の外周に近く、このスクロールノーズ部３７から図１中時計回りに回転するにつれてファン１５の外周との距離が大きくなるように形成されている。そして、上壁部２９、側壁部３１、外周側底壁部４９とファン１５の外周とに囲まれた渦巻通路３９が形成され、この渦巻通路３９の流体通過断面積はスクロールノーズ部３７から時計回りに回転するにしたがい拡大するようになっている。このスクロールケーシング２７には、スクロールノーズ部３７からファン１５の外周を一回転したところで接線方向へ向かう吐出口４１が形成されており、ここから渦巻通路を通過してきた空気が吐出されるようになっている。
【００１９】
このような構成において、モータ１３によってファン１５を回転すると、外気は、スクロールケーシング２７の吸入口３５からファンの吸入口２３を通ってファン１５に吸入され、ブレード１９によって回転されながらブレード１９外側の渦巻通路３９に排出される。そして、渦巻通路３９に排出された空気は、図１中時計回りに回転して吐出口４１から吐出される。
【００２０】
このようなスクロールケーシング２７のうち、ファン１５のブレード１９の鉛直下側、すなわち、ファン１５の回転軸方向であってファン１５の吸入口２３の反対の側に位置する内周側底壁部４３には、スクロールノーズ部３７からファン１５の回転方向に若干進んだ位置からファンの回転方向に延在する平面視円弧状の凹部４５が形成されている。この凹部４５は、内周側と外周側とにそれぞれ内周壁４５ａと外周壁４５ｂとを有し、底部に底壁４５ｃを有している。
【００２１】
このような凹部４５の底壁４５ｃには、平面視円弧状のヒートシンク４７が配設されている。このヒートシンク４７は、底壁４５ｃに装着されたヒートシンク平板部４７ａとこのヒートシンク平板部４７ａから上方に延びる放熱フィン４７ｂとを有している。また、このヒートシンク４７の下部には、プリント基板に実装された発熱量の大きい回路素子（図示せず）が接続固定されている。
【００２２】
また、このスクロールケーシング２７の底壁部３３のうち、ファン１５の外周より外側に位置する外周側底壁４９は、内周側底壁４３よりファン１５の吸入口２３と反対の側に軸方向に拡大しており拡大部５１を形成している。この拡大部５１は、ファン１５の回転方向に向かうにしたがい徐々に反吸入口側へ軸方向に拡大するとともに幅広に形成され、吹出し口４１に接続されている。
【００２３】
ヒートシンク４７が設けられている凹部４５の周方向中央部には、拡大部５１に到る第１の排水溝５３が形成されている。また、凹部４５のうちファン回転方向の端部（空気流下流側の端部）にも、拡大部５１に到る第２の排水溝５５が設けられている。
【００２４】
このような構成において、モータ３３を駆動させると、ファン１５が図１中時計回りに回転する。これによって吸入口３５から吸込まれた空気は、ファン１５によって回転され、スクロールケーシング２７内を時計回りに回転しながら吹出し口４１から吐出される。また、このスクロールケーシング２７内の空気流は、凹部４５内のヒートシンク４７を冷却し、このヒートシンク４７に接続固定された回路素子を冷却する。
【００２５】
ここで、吸入口３５からは空気とともに雨、雪等の水滴が侵入する。これらの水滴は、スクロールケーシング２７の底壁部３３上を空気流にのって下流方向に移動し、ヒートシンク４７が設けられた凹部４５内に落下する。そして、この凹部４５内に落下した水滴Ｗは、第１の排水溝５３、第２の排水溝５５から拡大部５１に排出され、空気流に押されて吹出し口４１から吐き出される。
【００２６】
このように、この送風機１１にあっては、スクロールケーシング２７の底壁部３３のうちファン１５の外周より外側に位置する外周側底壁４９は、内周側底壁４３よりファン１５に対して軸方向に拡大しており、拡大部５１を形成し、この拡大部５１は、ファン１５の回転方向に向かうにしたがい徐々に幅広に形成されて吹出し口４１に接続され、凹部４５の周方向中央部には、拡大部５１に到る第１の排水溝５３が形成され、凹部４５の風下側端部にも拡大部５１に到る第２の排水溝５５が設けられているから、凹部４５内に侵入落下した水滴を第１の排水溝５１、第２の排水溝５３を通してすみやかに排出することができる。したがって、ヒートシンク４７が設けられた凹部４５内に水が溜まることを防止することができ、この水がプリント基板等に浸入してショート等の不具合を生じるのを防ぐことができる。また、溜まった水により、カビ、臭気とが発生することも防止することができる。
【００２７】
なお、上記実施の形態にあっては、ブロワケース３０は、図２に示すように、スクロールケーシング２７の上壁部２９、側壁部３１、底壁部３３によって一体に構成されている。しかしながら、ブロワケース３０を構成する部材はスクロール２７に限る必要はなく、図３に示す送風機６１のように、内周側底壁部４３をモータフランジ６３で構成し、外周側底壁部４９、側壁部３１、上壁部２９をスクロールケーシング６５で構成してもよく、生産性、組立性、保守性等を考慮して他の組み合わせで構成してもよい。
【００２８】
図４は、本発明の第２の実施の形態を示す図である。これは、図３に示す送風機６１を、モータ１３、ファン１５の回転軸を水平にし、その第２の排水溝５５が下になるように配置したものである。このように配置しても、凹部４５に入った水滴Ｗを効率よく排水することができ、したがって、プリント基板の短絡やカビ、臭気の発生を防止することができる。
【００２９】
図５及び図６は、本発明の第３の実施の形態を示す図である。この送風機７１は、第１の実施の形態のスクロールケーシング２７において凹部４５、ヒートシンク４７が円弧状に設けられているのに対し、全周にわたって円環状に形成されているものである。
【００３０】
すなわち、スクロールケーシング２７の底壁部３３のうちファン１５の外径より内側に位置する内周側底壁部４３に、全周にわたって環状の凹部７３が形成され、この環状の凹部７３には、環状のヒートシンク７５が装着されている。そして、凹部７３から拡大部５１に至る第１の排水溝７７、第２の排水溝７９、第３の排水溝８１が周方向に離間して配設されている。
【００３１】
このように、この送風機７１にあっては、スクロールケーシング２７の内周側底壁部４３に、全周にわたって環状の凹部７３及びヒートシンク７５が形成され、凹部７３から拡大部５１に至る第１ないし第３の排水溝７７，７９，８１が周方向に離間して配設されているから、環状の凹部７３内の水をすみやかに排出することができる。したがってプリント基板の短絡、カビ及び臭気の発生を防止することができる。
【図面の簡単な説明】
【００３２】
【図１】本発明の第１の実施の形態である送風機を示す平面図。
【図２】図１に示す送風機のＡ−Ａ線に沿う縦断面図。
【図３】図１に示す送風機のブロワケースを他の部品の組み合わせで構成した状態を示す縦断面図。
【図４】本発明の第２の実施の形態である送風機を示す縦断面図。
【図５】本発明の第３の実施の形態である送風機を示す平面図。
【図６】図５に示す送風機のＡ−Ａ線に沿う縦断面図。
【図７】従来の送風機を示す縦断面図。
【符号の説明】
【００３３】
１１    送風機
１３    モータ
１５    ファン
２７    スクロールケーシング
３０    ブロワケース
３３    底壁部
４５    凹部
４７    ヒートシンク
５１    拡大部
５３    第１の排水溝
５５    第２の排水溝
６１    送風機
６３    モーターフランジ
６５    スクロール
７１    送風機
７３    凹部
７５    ヒートシンク
７７    第１の排水溝
７９    第２の排水溝
８１    第３の排水溝
【図１】
2008297917.tif 000003
【図２】
2008297917.tif 000004
【図３】
2008297917.tif 000005
【図４】
2008297917.tif 000006
【図５】
2008297917.tif 000007
【図６】
2008297917.tif 000008
【図７】
2008297917.tif 000009